(57)【特許請求の範囲】
【請求項１】
入射光を光学レンズおよび色フィルタを含む光学系を介して、光電変換する受光素子が画素として、２次元状に配され、該画素に対して隣接する画素が互いに画素ずらしで、配され、該画素から得られた信号電荷を供給される駆動信号のタイミングに応じて読み出して、垂直転送し、複数の水平転送路間の飛越しゲートを制御して、隣接する水平転送路に信号を供給し、これらの水平転送路から読み出した信号を該駆動信号のタイミングに応じて出力する固体撮像装置において、該装置は、
前記２次元状に配された受光素子の奇数列または偶数列に第１の色を割り当てた第１の色画素がストライプ状に配されることにより第１行を第１の色画素とし、第１の色画素の間に第１の色画素の配列に対して隣接する画素を含む第２行において、第１の色画素の左または右側に位置する画素に第２の色を割り当てた第２の色画素が配され、第１の色画素の列を挟む右または左側に位置する画素に第３の色を割り当てた第３の色画素が配され、第１の色画素がストライプ状に配されることにより第３行が形成され、さらに、第３行に配される第１の色画素に対して隣接する左または右側に位置する画素に第３の色画素が配され、第１の色画素の列を挟む右または左側に位置する画素に第２の色画素が第４行として配される配列を基本の色フィルタ配列パターンに設定し、複数回繰り返して、色フィルタが形成され、前記画素から信号電荷を読み出す撮像手段を含み、
該撮像手段は、前記複数の水平転送路の間に配され、前記画素から垂直転送されてくる信号電荷の中で前記偶数列または前記奇数列のいずれかだけに前記信号電荷を通すゲートが形成され、第１の色画素に対する信号電荷または第２および第３の色画素に対する信号電荷だけを隣接する水平転送路に飛越しさせる飛越しゲート手段を含み、
該装置は、さらに、前記飛越しゲート手段、前記垂直転送路および前記水平転送路にそれぞれの駆動タイミング信号を生成し、前記撮像手段に供給する駆動タイミング供給手段とを含み、
前記駆動タイミング供給手段は、前記複数の水平転送路がそれぞれ独立的に配線され、前記垂直転送路から信号電荷を一方の水平転送路に転送させ、転送された信号電荷を前記飛越しゲート手段に形成されたゲートの位置に応じて他方の水平転送路に送らせ、該他方の水平転送路に送った信号電荷を前記垂直転送路の一列分だけ転送させ、
前記一方の水平転送路に前記垂直転送路それぞれから第１、第２および第３の色画素の信号電荷を転送させ、
再び、前記一方の水平転送路に接続されたゲートの位置にある前記信号電荷を該一方の水平転送路から前記他方の水平転送路に転送させ、
前記一方の水平転送路にある前記信号電荷を前記垂直転送路の一列分だけ転送させ、
前記一方の水平転送路に前記飛越しゲート手段が形成された位置に対応する垂直転送路の間に形成された前記垂直転送路それぞれから前記信号電荷を転送させ、
前記一方および他方の水平転送路に前記信号電荷の色属性に応じてそろえて、そろえた信号電荷を前記一方および他方の水平転送路から所定の個数分、出力させる、各タイミングで用いる駆動信号それぞれを生成し、前記撮像手段に供給することを特徴とする固体撮像装置。
【請求項２】
請求項１に記載の装置において、該装置は、第１の色画素を緑(G)、第２の色画素を赤(R)および第３の色画素を青(B)に設定することを特徴とする固体撮像装置。
【請求項３】
請求項１または２に記載の装置において、前記駆動タイミング供給手段は、少なくとも４相、６相、あるいは８相で変化する信号のいずれかを生成し垂直駆動信号に用いることを特徴とする固体撮像装置。
【発明の詳細な説明】
【０００１】
【発明の属する技術分野】
本発明は、入射光を光学レンズおよび色フィルタを含む光学系を介して撮像面に配列された画素に供給し該画素で光電変換を行って得られた信号を供給される駆動信号のタイミングに応じて読み出して垂直転送し、複数の水平転送路間の飛越しゲートを制御して複数の水平転送路に信号を供給しこれらの水平転送路から読み出した信号を該駆動信号のタイミングに応じて出力する固体撮像装置に関し、特にディジタルスチルカメラ、ムービーカメラ、画像入力装置等に用いて好適なものである。
【０００２】
【従来の技術】
高画質の画像を得るため固体撮像装置は、たとえば数十万画素から数百万程度の画素（セル）を設けこれらの画素で得られた信号電荷が垂直転送レジスタを介して水平転送レジスタに信号電荷を供給している。固体撮像装置は、水平転送レジスタからの出力信号がたとえば現行のテレビジョン規格に適合するように水平の読出し速度の高速化を図ったり、水平転送レジスタを２線以上で構成したデバイス等を用いている。この一例として、たとえば、現行のテレビジョン規格よりも一層の高速処理が要求される、いわゆるハイビジョン規格がある。この規格では水平読出し速度が74MHz と高速である。この水平読出し速度の制御を容易に行うため、この規格の固体撮像装置は、２線の水平転送レジスタを用いる構成が提案されている。
【０００３】
この規格の固体撮像装置は、画素、垂直転送レジスタと順に経てきた信号電荷をそれぞれ各水平転送レジスタに振り分けて供給することにより、一列あたりの水平転送速度を37MHz に低減している。この提案によれば、一画面を低い水平転送速度で駆動させてもハイビジョン規格を満足させることができる。
【０００４】
【発明が解決しようとする課題】
ところで、２線の水平転送レジスタの構成を用いることにより、この固体撮像装置からの出力信号に劣化が生じる。劣化の例としては、上段から下段の水平転送レジスタに垂直転送を一段経ることにより、上段側の水平転送レジスタからの出力に比べてたとえば、約0.01% 、下段側の水平転送レジスタからの出力に劣化が生じる。また、２系統の信号読出しに応じて読出しアンプもそれぞれ必要になる。このとき、読出しアンプのゲインには、少なからずばらつきがあるので、これら読出しアンプのゲインのばらつきが画面の画質に大きな影響を及ぼすことが知られている。
【０００５】
この劣化について具体的に説明すると、信号電荷を読み出した際に、たとえば画像における偶数ラインと奇数ラインに対応させて上段側と下段側の水平転送レジスタから信号電荷を読み出す白黒の固体撮像装置では、画面に奇数／偶数ラインで若干明るさに差が生じるので、横筋がライン毎にある画面になってしまう。したがって、画面の画質劣化に大きく影響するゲインのばらつきに対しては、後段の信号処理部でゲイン調整を行って画面表示させることによって信号レベルを補正している。
【０００６】
また、色を検出するカラーの固体撮像装置でも水平転送レジスタを多線で構成する方法を採用している。この場合信号を出力する水平転送レジスタによって同一色にばらつきが生じないようにするため、同一の色信号については、同じ水平転送レジスタから出力信号が読み出されるように色フィルタが配置されている。三原色R,G,B に対するこの色フィルタの配置をたとえば、奇数列にG を配して横ストライプにし、偶数列にR,B を配するとともに、R,G のフィルタが市松模様をなすように、いわゆるG 横ストライプR,B 市松方式で配置させている。このような空間画素ずらし技術を用いてカラーの固体撮像装置は解像度が得られるようにしている。
【０００７】
従来技術の欠点を解消し、カラーの固体撮像装置において水平転送レジスタを多線で構成し、かつ色フィルタをG 横ストライプR,B 市松模様とする配置パターンと異なる配置パターンでも画質劣化を防止することができる固体撮像装置を提供することを目的とする。
【０００８】
【課題を解決するための手段】
本発明は上述の課題を解決するために、入射光を光学レンズおよび色フィルタを含む光学系を介して撮像面に配列された画素に供給し該画素で光電変換を行って得られた信号を供給される駆動信号のタイミングに応じて読み出して垂直転送し、複数の水平転送路間の飛越しゲートを制御して複数の水平転送路に信号を供給しこれらの水平転送路から読み出した信号を該駆動信号のタイミングに応じて出力する固体撮像装置において、この装置に、撮像面の奇数列あるいは偶数列に第１の色を割り当てた第１の色画素と、この第１の色画素の間に第１の色画素の配列に対して隣接する左右の偶数列あるいは奇数列に第２の色を割り当てた第２の色画素、第３の色を割り当てた第３の色画素を順に配し、次に配される第１の色画素の間には左右の偶数列あるいは奇数列に第３の色画素、第２の色画素の順に各画素を配する配列を複数回繰り返して形成される撮像手段と、これらの画素から垂直転送されてくる信号の中で画素配列の奇数列あるいは偶数列の信号だけを隣接する水平転送路へと飛越しさせる飛越しゲート手段と、この飛越しゲート手段、垂直転送路および水平転送路にそれぞれの駆動タイミング信号を生成し供給する駆動タイミング供給手段とを有することを特徴とする。
【０００９】
ここで、上述した第１の色画素は三原色の緑(G) とし、第２の色画素と第３の色画素は三原色の赤(R) と三原色の青(B) とすることが望ましい。
【００１０】
また、複数の水平転送路がそれぞれ独立的に配線されているとき、基準とする水平転送路の信号に対して隣接する水平転送路の信号の位置を基準とする水平転送路の信号位置と同じ位置に移動させる信号移動調整手段を設けると良い。駆動タイミング供給手段は、少なくとも４相、６相、あるいは８相で変化する信号のいずれかを生成し垂直駆動信号に用いることが好ましい。
【００１１】
この固体撮像装置は、撮像面の奇数列あるいは偶数列に第１の色画素を割り当て、この第１の色画素の間の偶数列あるいは奇数列に第２の色画素、第３の色画素を順に配し、次に配される第１の色画素間には第３の色画素、第２の色画素の順に各画素を配することにより、第１の色画素の列に対して第２、第３の色画素を千鳥配置させて完全に第２、第３の画素で市松模様を形成する。この配置パターンは、第２、第３の色画素が配される列に対して第１の色画素の列が 180°空間的にずれて配置されているので、一つの水平転送路にこれらの画素の偶数列と奇数列からの信号が同時に転送されないようになる。これにより、固体撮像装置は偶数列と奇数列からの信号を振り分けることができる。
【００１２】
また、飛越しゲート制御手段で飛越しゲート手段を制御することにより、これらの画素から垂直転送されてくる信号の中で画素配列の奇数列あるいは偶数列の信号だけを選択的に隣接する水平転送路へと飛越しさせ、信号の飛越しが行われた水平転送路に偶数列あるいは奇数列の垂直転送が可能になり、これら複数の水平転送路から同時に信号を出力させることができる。
【００１３】
【発明の実施の形態】
次に添付図面を参照して本発明の固体撮像装置の一実施例を詳細に説明する。
【００１４】
本実施例は、固体撮像装置の構成、特に画素配置についてとその動作について図１〜図６を参照しながら説明する。ここで、固体撮像装置は、一般に被写体からの光学像を撮像面の画素に供給して光電変換を行い画像信号として取り込む、たとえばディジタルスチルカメラ、ムービーカメラ、画像入力装置等に適用される。
【００１５】
図１は固体撮像装置10の構成を示す概略的な模式図である。固体撮像装置10は、図１に示すように、撮像面の画素領域PAに配されている複数の画素Pi、４本の垂直転送レジスタ11a 〜11d と、水平転送レジスタ12a,12b と、飛越しゲート13と、駆動信号生成部14とで構成されている。
【００１６】
まず、上述した垂直転送レジスタ11a 〜11d は、各画素Piで得られた信号電荷（以下、単に信号という）を列の下方にある水平転送レジスタ12a に向かって転送する垂直CCD である。また、水平転送レジスタ12a,12b は、垂直転送レジスタ11a 〜11d から供給される信号を行（あるいは水平）方向に転送する水平CCD である。
【００１７】
次に撮像面上の画素領域PAに配列される画素Piについて説明する。この画素領域PAには、画素Pi、すなわち受光領域を持つフォトダイオードからなるセルが２次元配列されている。各画素Piにはカラー表示させるため三原色G,R,B が割り当てられている。本実施例ではこれまで行われていた、いわゆるG 横ストライプRB市松パターンと異なる画素配列、すなわち、いわゆるG 縦ストライプRB完全市松パターンで従来、行われていた画素配列パターンと同様に画質劣化を防止できることを順次示していく。
【００１８】
この新たな画素の２次元配列を行うために基準を設ける。この基準として第１の色に緑(G) を選択する。緑色の画素PGは画素領域PAの奇数列あるいは偶数列に割り当てる。この場合、画素PGは偶数列に配する（図１を参照）。ここで、図中の上から下へと図１に示される画素配列の位置関係を定義すると、この列方向に配された画素PGの間で、かつこの偶数列に対して隣接する左右の奇数列には、第２、第３の色、すなわち、たとえば赤(R),青(B) の画素PR,PB が順に配されている。なお、第１の色画素の配列が奇数列のとき、当然、隣接する左右の列は偶数列になる。また、図１に示すように、次に配されている画素PGの間には画素PGの偶数列に対して隣接する左右の奇数列に第３、第２の色、すなわち、たとえば青(B),赤(R) の画素PB,PR の順に各画素が配される。このように画素を配列させることにより、図１の下から３行目に位置する画素PGに着目して観ると、基準の画素PGに対して対角線上に青(B) あるいは赤(R) の同色の画素が配されるようになり、いわゆる完全なる市松パターンを画素領域PA内に形成することができる。換言すると、この画素配列は画素PGの偶数列に対し隣接する奇数列の画素PR,PB を交互に入れ替えながら、千鳥配置させているとも言うことができる。
【００１９】
この画素配列は、画素PGを有する偶数列が画素PR,PB を有する奇数列に対して180 °ずれて配置されている。このため垂直転送レジスタ11a 〜11d を介して水平転送レジスタ12a に信号が到達するとき、３つの色に対応する信号が同時には達しない。したがって、奇数列／偶数列から供給される信号を一つの単位として水平転送レジスタ12a に振り分けて供給することが可能になる。また、この画素領域PAから水平転送レジスタ12a には、画素配列の奇数行あるいは偶数行の信号が供給されることは言うまでもない。
【００２０】
飛越しゲート13は、水平転送レジスタ12a,12b との間に配している。飛越しゲート13は、奇数列あるいは偶数列のいずれか一方にのみ設けている。本実施例では、奇数列だけに設けた場合について説明している。飛越しゲート13は、ゲートをオン状態にすることにより水平転送レジスタ12a に供給された信号を水平転送レジスタ12a から水平転送レジスタ12b に供給させる機能を有している。この機能はオフ状態では機能しない。このようにして飛越しゲート13は隣接する水平転送レジスタ12a,12b の間の信号の橋渡しを行っている。
【００２１】
駆動信号生成部14は、垂直転送レジスタ11a 〜11d 、水平転送レジスタ12a,12b および飛越しゲート13にそれぞれ供給する駆動タイミング信号を生成している。駆動タイミング信号としては、たとえば垂直転送に用いる垂直走査信号V1〜V8、水平転送に用いる水平走査信号H1〜H4、ゲート駆動信号等がある。駆動信号生成部14は、特に少なくとも４相、６相、あるいは８相で変化する信号のいずれかを生成し垂直駆動信号（垂直走査信号）に用いる。また、駆動信号生成部14は、水平転送レジスタ12a,12b がそれぞれ独立的に配線されているとき、基準とする水平転送レジスタ12a の信号に対して隣接する水平転送レジスタ12b の信号の位置を基準とする水平転送レジスタ12a の信号位置と同じ位置に移動させる信号移動調整手段でもある。
【００２２】
図１の画素配列で信号電荷を転送するとき、駆動信号生成部14は、電極φ1 〜φ16に８相の垂直走査信号V1〜V8を印加する。ここで、固体撮像装置10の垂直転送レジスタの動作は、たとえば、４相駆動のポテンシャルで表すと、図２に示すように変化する。このように垂直転送を繰り返すことにより、信号は徐々に矢印A の示す方向へと移動していく。このため後述するように水平転送レジスタ12a には、奇数列の画素PR,PB が先に達する。なお、本実施例中において光学系は図示していないが前述した画素の色に対応した色フィルタを有している。
【００２３】
次に固体撮像装置10の動作を説明する。図３〜図６は、図１に示した装置構成をさらに簡略化して表し、各ステップでの動作を示している。この固体撮像装置10には、被写体からの光が光学系を介して照射されている。固体撮像装置10は、電子シャッタを開状態にして露光を行う（図３(a) を参照）。画素であるフォトダイオードは光電変換により入射光を電気信号に変換している。この電気信号は信号電荷である。フォトダイオードでは入射光の光量に応じて信号電荷が生成されるので、フォトダイオードには生成された電荷が蓄積される。図示しないが電子シャッタの開閉も駆動信号生成部14からの信号に応じて行われている。
【００２４】
次に固体撮像装置10の電子シャッタを閉状態にする。そして、駆動信号生成部14は画素Piの奇数列の中で電極φ5,φ13に垂直走査信号V5を印加する。また、駆動信号生成部14は、画素Piの偶数列の中で電極φ1,φ9 に垂直走査信号V1を印加する。このとき、垂直走査信号V1,V5 は、たとえば10V の電圧を印加して各画素Piの蓄積した電荷を垂直転送レジスタ11a 〜11d に読み出す（図３(b) を参照）。これら４つの電極以外には、たとえば0Vの電圧が印加されている。これにより、読み出された信号電荷（以下、信号という）を格納する垂直CCD から隣接する垂直CCD に信号が漏れないように障壁が形成される。
【００２５】
これ以降、８相の垂直走査信号の駆動により読み取った信号を垂直CCD の下方に順次移動させていく。このため、次に移動させる垂直CCD を含む各電極に垂直走査信号が供給される。この場合、奇数列では電極φ6,φ14に、偶数列では電極φ2,φ10に供給される。このとき、これらの電極に印加される垂直走査信号の電圧は、画素と垂直転送レジスタの信号を分離させておくため、たとえば5Vにしている。このようにして固体撮像装置10は、垂直転送レジスタ11a 〜11d を駆動させて順次信号を下方へと垂直転送させている（図３(c) を参照）。
【００２６】
上述したように信号を順次垂直転送することにより、奇数列の信号、すなわち画素PB,PR からの信号が水平転送レジスタ12a に供給される（図４（a)を参照）。水平転送レジスタ12a,12b との間には、奇数列だけに飛越しゲート13が設けられている。図４(a) に示す固体撮像装置10の状態において駆動信号生成部14は、飛越しゲート13に飛越しゲート13をオンにする駆動信号を供給する。これにより、水平転送レジスタ12a に格納されていた奇数列の信号が水平転送レジスタ12b にそのまま飛越し移動させられる。ここで、水平転送レジスタ12b での信号の位置は、奇数列の位置となっている（図４(b) を参照）。
【００２７】
次に駆動信号生成部14は、たとえば水平転送レジスタ12b に水平走査信号H1,H3 を供給する。この水平走査信号H1,H3 は、現在、水平転送レジスタ12b に格納されている信号を一列分だけ出力端側へ移動させる。これにより、水平転送レジスタ12b 内の信号は偶数列の直下に移動させられる（図４(c) を参照）。なお、このとき、水平転送レジスタ12a には信号が何も入っていない状態にあるので、水平転送レジスタ12a,12b をともに駆動させるようにしても良い。
【００２８】
この信号の水平転送処理を行った後、さらに垂直転送を４回行うことによって垂直転送レジスタ11a 〜11d に残っている信号が４段下方に向かって垂直転送させられる。この垂直転送によって偶数列からの信号、すなわち画素PGからの信号が水平転送レジスタ12a に達する（図５(a) を参照）。また、垂直転送を４回行うことによって奇数列の信号が水平転送レジスタ12a に供給される（図５(b) を参照）。
【００２９】
次に駆動信号生成部14は飛越しゲート13に駆動信号を供給する。飛越しゲート13は駆動信号に応じてゲートがオンになる。これにより、水平転送レジスタ12a の奇数列の信号が水平転送レジスタ12a から水平転送レジスタ12b に供給される（図５(c) を参照）。このような信号の飛越し転送は、前述したように奇数列の位置にのみ飛越しゲート13が配設されているためである。
【００３０】
信号の飛越転送後、駆動信号生成部14は水平走査信号H2,H4 を水平転送レジスタ12a に供給する。この水平走査信号H2,H4 により水平転送レジスタ12a は、水平転送レジスタ12a の偶数列直下にある信号を出力端側に向かって一列だけ移動させる（図６(a) を参照）。そして、駆動信号生成部14は、垂直走査信号を４回垂直転送レジスタ11b,11d に供給する。垂直転送レジスタ11b,11d は、現在ここだけに残っている信号を４段下方へと垂直転送する。この結果として水平転送レジスタ12a に偶数列の信号が転送される（図６(b) を参照）。このような動作を行わせることによって、各画素Piで得られた信号は水平転送レジスタ12a,12b にすべて転送される。ここで、水平転送レジスタ12a には、偶数列から供給される信号が転送されている。また、水平転送レジスタ12b には、奇数列から供給される信号が転送されている。
【００３１】
ここで、実際の画面にカラー表示を行う際には、たとえば３つの色(R),(G),(B) を用いて被写体の色が表される。したがって、カラー画像の構成要素である１ラインを表示するためには、画素PR,PG,PBの組合せが必要になる。図１に示した画素領域PAは、G 縦ストライプRB完全市松という画素パターンで構成されているので、カラー表示として２ライン分の信号を有していることになる。これにより、図６(b) の水平転送レジスタ12a,12b には、撮像された２ライン分の信号が格納されている。
【００３２】
駆動信号生成部14は、水平転送レジスタ12a,12b の両方にたとえば、水平走査信号H1〜H4を同時に供給する。水平転送レジスタ12a,12b は、２ライン分の信号をアンプ15a,15b をそれぞれ介して出力する。
【００３３】
ところで、上述したように２ライン分の信号は、撮像面の最下位に位置するラインの画素、すなわち２ライン目の画素から順に読み出されてくるので、読み出した信号には列方向に画素ずれがある。この画素ずれを補正するとき、この場合の補正手順としては各列から２個ずつ区切って読み出した信号をたとえばメモリに格納し、読み出す順序を逆にするように最初の信号からひとつおきに読み飛ばして出力させ、次に読み飛ばした残りの信号を出力側から順に読み出す。この読出しの際にさらに、たとえば偶数列、奇数列、偶数列、・・・・・ と交互に読み出させると、読み出した補正信号は、画素ずれのない画面表示に適した信号にすることができる。
【００３４】
一般的に、この画素配置パターンでn ライン分の画素を有する場合、画素ずれの補正は、たとえば偶数列の各列の信号をn 個ずつ区切り、まず最初の信号からn,2n,・・・,mn 番目の信号（m=1,2,3,・・・ ）だけを読み、奇数列の各列の信号も上記と同様の読み出しを行い、次に偶数列と奇数列における最初の信号からn-1,2n-1,・・・,mn-1 番目の信号を交互に読み、最後に、偶数列と奇数列における最初の信号からn-i,2n-i,・・・,mn-i 番目の信号（i=0,1,2,3,・・・,n-1 ）だけを交互に読むようにする。
【００３５】
また、各画素PR,PG,PBをG 縦ストライプRB完全市松という画素PGに対し画素PR,PB を空間的にずらしたパターンで配置されているので、画面領域内に存在する画素のデータを用いて画素のない空間位置のデータを後段の補間処理によって求めることができ、結果的に固体撮像装置を高解像度にすることができる。
【００３６】
このように構成することにより、複数の水平転送レジスタを用いて全画像を短時間で読み出すとともに、奇数列／偶数列の単位で信号を各水平転送レジスタに振り分けることができる。この振り分け処理は、信号の転送効率の改善に伴って設けたアンプゲインのばらつきにより水平方向の縞として生じていた固定パターンノイズの発生を防止できる。また、画素が空間的にずれたパターンに配置し、画素のない空間位置のデータを後段の補間処理によって求めると、結果的に、固体撮像装置を高解像度にすることができる。
【００３７】
なお、本実施例は電極構造を８本用いて説明したが、この実施例に限定されることなく、本発明の概念を含んだ構成であればよく、たとえば６本の電極構造等を用いてもよいことは明らかである。
【００３８】
【発明の効果】
このように本発明の固体撮像装置によれば、撮像面の第１の色画素の列に対して第２、第３の色画素を千鳥配置させて完全に第２、第３の画素で市松模様を形成させ、第２、第３の色画素が配される列に対して第１の色画素の列が180 °空間的にずれて配置しているので、一つの水平転送路にこれらの画素からの信号がすべて同時に転送されないようにし、飛越しゲート制御手段で飛越しゲート手段を制御して、これらの画素から垂直転送されてくる信号の中で画素配列の奇数列あるいは偶数列の信号だけを選択的に隣接する水平転送路へと飛び越しさせ、信号の飛越しが行われた水平転送路に偶数列あるいは奇数列の垂直転送を可能にさせ、これら複数の水平転送路から同時に信号を出力させることにより、複数の水平転送路を用いて全画像を短時間で読み出すとともに、奇数列／偶数列の単位で信号を各水平転送路に振り分けることができる。この振り分け処理は、信号の転送効率の改善に伴って設けたアンプゲインのばらつきにより水平方向の縞として生じていた固定パターンノイズの発生を防止できる。
【００３９】
また、画素が空間的にずれたパターンに配置し、画素のない空間位置のデータを後段の補間処理によって求めると、結果的に、固体撮像装置を高解像度にすることができる。
【図面の簡単な説明】
【図１】図１は固体撮像装置の構成を示す概略的な模式図である。
【図２】図１の固体撮像装置を４相駆動した際に信号電荷のポテンシャルで移動状態を説明するポテンシャル図である。
【図３】図１は固体撮像装置の信号の転送動作を説明する概略的な模式図である。
【図４】図１は固体撮像装置の信号の転送動作を説明する概略的な模式図である。
【図５】図１は固体撮像装置の信号の転送動作を説明する概略的な模式図である。
【図６】図１は固体撮像装置の信号の転送動作を説明する概略的な模式図である。
【符号の説明】
10  固体撮像装置
11a 〜11d   垂直転送レジスタ
12a,12b 水平転送レジスタ
13  飛越しゲート
14  駆動信号生成部
【図１】
0004060410.tif 000002
【図２】
0004060410.tif 000003
【図３】
0004060410.tif 000004
【図４】
0004060410.tif 000005
【図５】
0004060410.tif 000006
【図６】
0004060410.tif 000007